(57)【要約】      （修正有）【課題】山中の間伐材を簡単かつ作業性よく、しかも安全、安価に回収することが可能な間伐材の回収装置を提供する。【解決手段】長尺滑走体１３の両端の支持テープ１４、１４上に一定間隔で被連結アイ４を設け、対向する一対の被連結アイ４、４を連結棒５により連結し、滑走体１３を袋状に形成する。近傍の立木や棒材等から成る仮設杭により支持した長尺滑走体により山中の間伐材を確実に滑走させて回収するので、安価な構成で簡単かつ作業性よく間伐材を回収することができる上に、間伐材の飛び出しを防止し、かつ破断に対し応急処置ができるので、間伐材を安全に回収することができる。【選択図】図９
0003166597.tif 000002
【実用新案登録請求の範囲】
【請求項１】
山の斜面に沿って配され、間伐材を滑走させるための断面略Ｕ字状の布製の長尺滑走体と、
該長尺滑走体の横断方向で対向する両端部を支持手段を介して支持する仮設杭とを含む間伐材の回収装置であって、
前記両端部にそれぞれ一定間隔で対向して設けられる複数の被連結部と、
前記長尺滑走体を袋状に形成すべく前記対向する被連結部間を連結する連結手段と、
を含むことを特徴とする間伐材の回収装置。
【請求項２】
山の斜面に沿って配され、間伐材を滑走させるための断面略Ｕ字状の布製の長尺滑走体と、
該長尺滑走体の横断方向で対向する両端部を支持手段を介して支持する仮設杭とを含む間伐材の回収装置であって、
前記両端部にそれぞれ一定間隔で対向して設けられる複数の被連結部と、
前記長尺滑走体の破断部を含む折り返し部と、
該折り返し部の端部に位置して対向する前記被連結部間を連結する連結体と、
を含むことを特徴とする間伐材の回収装置。
【請求項３】
前記連結手段は枝木であることを特徴とする請求項１記載の間伐材の回収装置。
【請求項４】
前記仮設杭は周囲の立木及び小径の間伐材のいずれかから成り、支持ロープを介して支持することを特徴とする請求項１又は２記載の間伐材の回収装置。
【請求項５】
前記長尺滑走体の長手方向に沿ってその両端に取付けられている支持ベルトを有し、該支持ベルトは袋織されて延び防止処理されたテープ材から成ることを特徴とする請求項１又は２記載の間伐材の回収装置。
【考案の詳細な説明】
【技術分野】
【０００１】
本考案は、山中の小口径木を含む間伐材を回収するための装置に関し、特に間伐材を滑走させて回収する装置に関する。
【背景技術】
【０００２】
最近では石油に代わるエネルギー資源が各種提案されているが、その一つとして間伐材が注目されている。
このような間伐材は、間伐作業の終了後、その多くがそのまま山中に放置され、自然に朽ちさせているのが現状である。
【０００３】
従って、間伐材をエネルギー資源として活用するためには、その回収作業が必要となり、例えば、間伐材が林道等の作業道の近傍に放置されている場合には、人的又は機械的に集めることでその回収を行うことができる。
【考案の概要】
【考案が解決しようとする課題】
【０００４】
しかし、多くの間伐材は山中に放置されているため、その搬出作業には熟練した多数の作業者が必要となる。このため回収に多大な費用を要し、又特に急峻な斜面に放置されている間伐材を搬出するためには、間伐材が大きな重量を有することから作業者に多大な負担と危険を強いる欠点がある。
【０００５】
本考案は、山中の間伐材を簡単かつ作業性よく、しかも安全、安価に回収することが可能な間伐材の回収装置を提供することを目的とする。
【課題を解決するための手段】
【０００６】
本考案は上記した課題を解決するために次の構成を有している。
即ち、本考案は、山の斜面に沿って配され、間伐材を滑走させるための断面略Ｕ字状の布製の長尺滑走体と、該長尺滑走体の横断方向で対向する両端部を支持手段を介して支持する仮設杭とを含む間伐材の回収装置であって、前記両端部にそれぞれ一定間隔で対向して設けられる複数の被連結部と、前記長尺滑走体を袋状に形成すべく前記対向する被連結部間を連結する連結手段と、を含むことを特徴とする。
【０００７】
急斜面に沿って長尺滑走体を配する場合や滑走方向が大きく変化する場合には、間伐材の滑走速度が大きくなり、間伐材が飛び出す等の問題が生じる。この場合は被連結部間を連結して長尺滑走体を袋状に形成し、間伐材の飛び出しを防止する。
【０００８】
他の発明は、山の斜面に沿って配され、間伐材を滑走させるための断面略Ｕ字状の布製の長尺滑走体と該長尺滑走体の横断方向で対向する両端部を支持手段を介して支持する仮設杭とを含む間伐材の回収装置であって、前記両端部にそれぞれ一定間隔で対向して設けられる複数の被連結部と、前記長尺滑走体の破断部を含む折り返し部と、該折り返し部の端部に位置して対向する前記被連結部間を連結する連結体と、を含むことを特徴とする。
＜作用＞
長尺滑走体が支持緩みや滑走方向の大きな変化により接地すると破断することがある。この場合は長尺滑走体を破断部を含むように折り返し、この折り返し部の端部に位置して対向する各一対の被連結部を連結し、破断部を滑走体の一部で覆い隠し、応急的に間伐材の滑走を可能とする。
【考案の効果】
【０００９】
本願考案によれば、近傍の立木や棒材等から成る仮設杭により支持した長尺滑走体により山中の間伐材を確実に滑走させて回収するので、安価な構成で簡単かつ作業性よく間伐材を回収することができる上に、間伐材の飛び出しを防止し、かつ破断に対し応急処置ができるので、間伐材を安全に回収することができる。
【図面の簡単な説明】
【００１０】
【図１】本考案に係る回収装置の要部平面図である。
【図２】同装置の正面断面図である。
【図３】同装置の布設状態を示す概略図である。
【図４】本考案に係る長尺滑走体の支持状態を示す概略図である。
【図５】本考案に係る支持手段の斜視図である。
【図６】本考案の回収装置の間隔維持棒を外した断面図である。
【図７】本考案に係る長尺滑走体の接合方式を示す斜視図である。
【図８】（Ａ）は本考案に係る被連結アイを備える長尺滑走体の平面図、同（Ｂ）は部分側面図である。
【図９】被連結アイを連結した袋状の長尺滑走体の平面図である。
【図１０】本考察に係る折り返し部を示す斜視図である。
【図１１】（Ａ）、（Ｂ）は本考案の変形側の平面図及び断面図である。
【図１２】本考案の他の変形側の断面図である。
【考案を実施するための形態】
【００１１】
以下、本考案の実施形態を図面を参照して詳細に説明する。
図３には本考案に係る回収装置１０を山の斜面に配置した状態が示されている。この回収装置１０は本体１１と複数の仮設杭３とを有している。
【００１２】
図１は本体１１の平面図、図２は本体１１の正面断面図である。
この本体１１は、長尺滑走体１３を備えている。長尺滑走体１３はポリエステル製の布から成り、１０ｍ〜１００ｍの長さ寸法を有している。
【００１３】
長尺滑走体１３の両端には該滑走体を支持するための支持ベルト１４が取付けられている。これらの支持ベルト１４は折り曲げ可能なポリエステル繊維等の編組体から形成されている。
【００１４】
両支持ベルト１４、１４には、０．５〜２ｍ間隔で横断連結紐１５の両端側が固着されている。これらの横断連結紐１５の両端には、折り曲げ形成された連結輪１６が一体的に形成されている。尚、横断連結紐１５も上記した編組体より形成されている。
【００１５】
各横断連結紐１５上には間隔維持棒１７が配されている。間隔維持棒１７はプラスチック又は竹材等から形成されて剛性を有し、両端に取り外し可能なリング材１８が取り付けられ、これらリング材１８が連結輪１６に連結されている。従って、図２に示すように、間伐材１が長尺滑走体１３内に位置して該滑走体１３に重量が加わっても該滑走体１３の両端の間隔が間隔維持棒１７により維持され、これにより該袋１３が断面略Ｕ字状に保持されるので緩斜面であっても間伐材１を円滑に滑走させることができる。
【００１６】
上記長尺滑走体１３は、図３に示すように、支持ロープ３０を介して仮設杭３により支持されている。即ち、仮設杭３として周囲の立木が用いられ、支持ロープ３０の一端は連結輪１６に連結され、他端は、図５に示すように、仮設杭３の装着体５１側に連結されている。即ち、装着体５１は仮設杭３に巻き付けられてベルクロファスナ５２により固定されている。そして、装着体５１にはベルト５３，５３の挿通される挿通部５４，５４が設けられ、ベルト５３の一端の輪部５３ａにその他端が通されて他端の輪部５３ｂに支持ロープ３０の他端が連結されている。
【００１７】
尚、仮設杭３としては、周囲の立木以外に切り株や小径の間伐材を用いてもよく、又プラスチックから形成したものであってもよい。
【００１８】
ところで、長尺滑走体１３は、立木等を避けるために、図３に示すように布設ルートを曲折することが可能である。
【００１９】
また、支持ロープ３０を用いると該ロープ３０に弛みが生じ、長尺滑走体１３に振動が加わる虞れがある。
【００２０】
そこで、本実施例では、図３及び図４に示すように、長尺滑走体１３の曲り位置の連結輪１６に二本の支持ロープ３０の一端を連結し、各ロープ３０の他端を仮設杭３の上下の装着体５０，５０を介してそれぞれ連結する。これにより、長尺滑走体１３に振動が生じるのを防止して円滑に滑走させることができる。
【００２１】
尚、周囲に立木が無い場合等には、長尺滑走体１３の両側の近傍に仮設杭３，３立設し、各仮設杭に装着した装着体５１に、連結輪１６をベルトなどにより直接的に連結する。従って、長尺の支持ロープを用いないので、長時間使用しても長尺滑走体１３が上下に振動することがない。
【００２２】
次に、本考案の回収装置の使用態様を説明する。
【００２３】
先ず、傾斜角度が約３０度の緩斜面に長尺滑走体１３を配置し、仮設杭３により支持した場合には、図１及び図２に示すように、間隔維持棒１７を取り付けた状態で、即ち、長尺滑走体１３の断面を略Ｕ字状に保持し、最適な滑走速度を付与して間伐材１を滑走させることができる。
【００２４】
次に、急峻な斜面に長尺滑走体１３を配置した場合には、図６に示すように、間隔維持棒１７を外し、間伐材１の重量により長尺滑走体１３の両端を接近させ、該袋１３の内面を間伐材１の周面に大きく摺接させる。これにより、間伐材１をその滑走速度を制御して滑走させることができる。
【００２５】
尚、間隔維持棒１７は、長尺滑走体１３において、急峻な斜面位置だけ、又はその近傍位置、又は一つおき等に外される。
【００２６】
図７は二つの長尺滑走体１３を接合するための構成を示している。即ち、各長尺滑走体１３の端部において支持ベルト１４が伸長してその先端に輪部１４ａが形成されている。そして、両袋１３，１３を接合するには、一方の袋１３の輪部１４ａを他方の袋１３の連結輪１６に図示しないシャックルやバンド等を用いて連結する。従って、布設ルートが１００ｍ等と大きい場合でも、複数の長尺滑走体１３を相互に接合し、対応することができる。
【００２７】
ところで、本考案に係る長尺滑走体１３両端の支持ベルト１４、１４上には、図８（Ａ）、（Ｂ）に示すように、被連結アイ４が一定間隔、本実施例では５０ｃｍ間隔で設けられている。これら被連結アイ４は支持ベルト１４と同一材料から形成され、該ベルトに縫合されている。
そして、急斜面に配され、又は滑走方向を大きく変化させる場合には、図９に示すように、対向する各一対の被連結アイ４、４に連結棒５を挿入して該アイ４、４を連結し、これにより長尺滑走体１３を袋状に形成する。従って、間伐材１が長尺滑走体１３から飛び出すのを確実に防止することができる。
尚、連結棒５としてはプラスチック棒や小枝を用いることができる。
次に、長尺滑走体１３の支持が緩む等により該滑走体１３が接地し、又は間伐材１の凸凹等により損傷されると該滑走体１３に破断が生じることがある。
このように破断が生じた場合には、図１０に示すように、破断部が下に位置して隠れるように、長尺滑走体１３を折り返し、折り返し部の４ヶ所の端部で近接する各一対の被連結アイ４，４を、シャックル６により連結する。この応急処置により間伐材１を引き続き滑走させることができる。
図１１の（Ａ）、（Ｂ）は本考案に係る回収装置の変形側を示している。
この変形側では、間隔維持棒１７（図２参照）に代えて、横断連結テープ２１が用いられる。即ち、この横断連結テープ２１は（Ｂ）に示すように、対向する一対の被連結アイ４、４と支持ベルト１４Ａ、１４Ａとの間に通され、その両端が結び付けられている。
このように被連結アイ４、４は間隔維持手段としても利用することができる。
また、（Ａ）に示すように、他の一対の被連結アイ４、４には、それぞれ支持手段としてのテープ紐２２が通され、各テープ紐２２は結び目を２２ａを付与されて図示しない立木に結び付けられ、これにより長尺滑走体１３を立木に支持することができる。
支持ベルト１４Ａはポリエステル繊維を袋織され、伸び防止処理加工を施されている。
従って、支持ベルト１４Ａの長手方向への延びを防止することができるので、長尺滑走体１３が使用により接地してしまうのを阻止することができる。
また、支持手段として平坦なテープ紐２２が用いられているので、立木に結び付けても該立木に傷等が生じることがない。
そして、支持ベルト１４Ａ、テープ紐２２及び横断連結テープ２１を全てテープ材から形成しているので、回収装置を丸めて小さくすることができる上に軽量化を図ることができ、従って、山中での持ち運びが楽である。
図１２は本考案に係る回収装置の他の変形側を示している。この変形側では、一対の被連結アイ４、４に、それぞれ連結紐２３が通され、かつ各連結紐２３が間隔維持棒１７両側の挿通穴に通されて該棒１７に結び付けられ、これにより長尺滑走体１３の間隔を維持することができる。
【符号の説明】
【００２８】
１      間伐材
３      仮設杭
４      被連結アイ
５      連結棒
１０    回収装置
１１    本体
１３    長尺滑走体
１４    支持ベルト
１４ａ  輪部
１５    横断連結紐
１６    連結輪
１７    間隔維持棒
１８    リング材 
２０    無端ロープ
２３    連結ロープ
３０    支持ロープ
５０    装着体
５１    装着体
５３    ベルト
５４    挿通部
【図１】
0003166597.tif 000003
【図２】
0003166597.tif 000004
【図３】
0003166597.tif 000005
【図４】
0003166597.tif 000006
【図５】
0003166597.tif 000007
【図６】
0003166597.tif 000008
【図７】
0003166597.tif 000009
【図８】
0003166597.tif 000010
【図９】
0003166597.tif 000011
【図１０】
0003166597.tif 000012
【図１１】
0003166597.tif 000013
【図１２】
0003166597.tif 000014